(57)【要約】【課題】ユーザの手間を要することなく、外部装置で聴取していたラジオ放送の続きをオーディオ装置で聴取できる技術を実現すること。【解決手段】放送波を受信してその再生情報を出力するＤＡＰが接続可能な入出力端子部１５と、放送波を選択するチューナ部１６と、入出力端子部１５にＤＡＰが接続されたとき、当該ＤＡＰが放送波の受信状態であるか否かを、入出力端子部１５から入力される再生情報に基づいて検出し、その検出の結果、ＤＡＰが放送波の受信状態である場合に、当該ＤＡＰから受信周波数を取得し、当該取得した受信周波数にチューナ部１６の受信周波数を同調し、当該同調された受信周波数に基づく音声信号を出力させるシステムマイコン１１と、を備える。【選択図】図１
2010130338.tif 000002
【特許請求の範囲】
【請求項１】
放送波を受信してその再生情報を出力する外部装置が接続可能な接続手段と、
放送波を選択するチューナと、
前記接続手段に前記外部装置が接続されたとき、当該外部装置が前記放送波の受信状態であるか否かを、前記接続手段から入力される再生情報に基づいて検出し、その検出の結果、前記外部装置が前記放送波の受信状態である場合に、当該外部装置から受信周波数を取得し、当該取得した受信周波数に前記チューナの受信周波数を同調し、当該同調された受信周波数に基づく音声信号を出力させる制御手段と、
を備えることを特徴とするオーディオ装置。
【請求項２】
前記制御手段は、
前記音声信号の出力を開始後、前記接続手段を介して前記外部装置の電源オフを指示することを特徴とする請求項１に記載のオーディオ装置。
【請求項３】
前記制御手段は、
前記音声信号の出力の開始に合わせて、前記音声信号の録音開始を指示することを特徴とする請求項１に記載のオーディオ装置。
【請求項４】
接続手段が、放送波を受信してその再生情報を出力する外部装置と接続する接続工程と、
チューナが、放送波を選択する選択工程と、
制御手段が、前記接続手段に前記外部装置が接続されたとき、当該外部装置が前記放送波の受信状態であるか否かを、前記接続手段から入力される再生情報に基づいて検出し、その検出の結果、前記外部装置が前記放送波の受信状態である場合に、当該外部装置から受信周波数を取得し、当該取得した受信周波数に前記チューナの受信周波数を同調し、当該同調された受信周波数に基づく音声信号を出力させる制御工程と、
を含むことを特徴とする音声出力方法。
【請求項５】
コンピュータを、
放送波を受信してその再生情報を出力する外部装置が接続可能な接続手段、
放送波を選択するチューナ、
前記接続手段に前記外部装置が接続されたとき、当該外部装置が前記放送波の受信状態であるか否かを、前記接続手段から入力される再生情報に基づいて検出し、その検出の結果、前記外部装置が前記放送波の受信状態である場合に、当該外部装置から受信周波数を取得し、当該取得した受信周波数に前記チューナの受信周波数を同調し、当該同調された受信周波数に基づく音声信号を出力させる制御手段、
として機能させるための音声出力プログラム。
【発明の詳細な説明】
【技術分野】
【０００１】
本発明は、オーディオ装置、音声出力方法及び音声出力プログラムに関する。
【背景技術】
【０００２】
近年、携帯型のデジタルオーディオプレーヤー（以下、ＤＡＰ）が普及している。ＤＡＰには、ＭＰ３等の音声データの再生に加えて、チューナを搭載したものもある。チューナを搭載したＤＡＰでは、受信した放送波からラジオ放送の放送信号（ＦＭやＡＭの放送信号）を抽出し、当該抽出した放送信号に基づく音声信号（音声データ）を出力する。これにより、ユーザは、ラジオ放送を聴取することができる。
【０００３】
チューナを搭載したＤＡＰでラジオ放送を聴取する場合、ユーザは外出中であることが多い。このとき、ユーザは、外出先から帰宅した際、聴取していたラジオ放送の続きを聴取したい場合がある。この場合、ユーザは、自宅のオーディオ装置等でラジオ放送の聴取を継続することが考えられる。
【０００４】
また、複数の携帯型オーディオ装置から楽曲情報を取得し、取得した楽曲情報の内、共通する楽曲情報の存在を確認し、共通する楽曲情報に応じた楽曲データを再生する技術が知られている（例えば、特許文献１参照）。また、音響再生装置のヘッドホン端子から録音装置に音響信号データをダビングする場合、再生音をモニタする技術も知られている（例えば、特許文献２参照）。
【特許文献１】特開２００７−２５７７３１号公報
【特許文献２】特開２００７−１２３９５６号公報
【発明の開示】
【発明が解決しようとする課題】
【０００５】
しかしながら、ＤＡＰで聴取していたラジオ放送の続きをオーディオ装置で聴取する場合、ユーザは、オーディオ装置のセレクターをチューナに切り換える設定を行わなければならない。さらに、ユーザは、ＤＡＰで聴取していた放送局の周波数にオーディオ装置のチューナの周波数を同調する設定を行わなければならない。
このため、ＤＡＰ（外部装置）で聴取していたラジオ放送の続きをオーディオ装置で聴取する場合、ユーザは手間を要していた。
【０００６】
本発明の課題は、ユーザの手間を要することなく、外部装置で聴取していたラジオ放送の続きをオーディオ装置で聴取できる技術を実現することである。
【課題を解決するための手段】
【０００７】
上記課題を解決するため、請求項１に記載の発明のオーディオ装置は、
放送波を受信してその再生情報を出力する外部装置が接続可能な接続手段と、
放送波を選択するチューナと、
前記接続手段に前記外部装置が接続されたとき、当該外部装置が前記放送波の受信状態であるか否かを、前記接続手段から入力される再生情報に基づいて検出し、その検出の結果、前記外部装置が前記放送波の受信状態である場合に、当該外部装置から受信周波数を取得し、当該取得した受信周波数に前記チューナの受信周波数を同調し、当該同調された受信周波数に基づく音声信号を出力させる制御手段と、
を備えることを特徴とする。
【０００８】
請求項２に記載の発明は、請求項１に記載のオーディオ装置において、
前記制御手段は、
前記音声信号の出力を開始後、前記接続手段を介して前記外部装置の電源オフを指示することを特徴とする。
【０００９】
請求項３に記載の発明は、請求項１に記載のオーディオ装置において、
前記制御手段は、
前記音声信号の出力の開始に合わせて、前記音声信号の録音開始を指示することを特徴とする。
【００１０】
請求項４に記載の発明の音声出力方法は、
接続手段が、放送波を受信してその再生情報を出力する外部装置と接続する接続工程と、
チューナが、放送波を選択する選択工程と、
制御手段が、前記接続手段に前記外部装置が接続されたとき、当該外部装置が前記放送波の受信状態であるか否かを、前記接続手段から入力される再生情報に基づいて検出し、その検出の結果、前記外部装置が前記放送波の受信状態である場合に、当該外部装置から受信周波数を取得し、当該取得した受信周波数に前記チューナの受信周波数を同調し、当該同調された受信周波数に基づく音声信号を出力させる制御工程と、
を含むことを特徴とする。
【００１１】
請求項５に記載の発明の音声出力プログラムは、
コンピュータを、
放送波を受信してその再生情報を出力する外部装置が接続可能な接続手段、
放送波を選択するチューナ、
前記接続手段に前記外部装置が接続されたとき、当該外部装置が前記放送波の受信状態であるか否かを、前記接続手段から入力される再生情報に基づいて検出し、その検出の結果、前記外部装置が前記放送波の受信状態である場合に、当該外部装置から受信周波数を取得し、当該取得した受信周波数に前記チューナの受信周波数を同調し、当該同調された受信周波数に基づく音声信号を出力させる制御手段、
として機能させることを特徴とする。
【発明の効果】
【００１２】
本発明によれば、ユーザの手間を要することなく、外部装置で聴取していたラジオ放送の続きをオーディオ装置で聴取できる技術を実現することができる。
【発明を実施するための最良の形態】
【００１３】
以下、添付図面を参照して本発明に係る実施の形態を詳細に説明する。ただし、発明の範囲は、図示例に限定されない。
【００１４】
（実施の形態）
図１〜図４を参照して、本発明に係る実施の形態を説明する。先ず、図１を参照して本実施の形態に係るオーディオ装置１の装置構成について説明する。
【００１５】
オーディオ装置１は、ＤＡＰ等の外部装置と通信接続が可能な装置である。オーディオ
装置１は、制御手段としてのシステムマイコン１１と、表示部１２と、操作部１３と、記録部１４と、接続手段としての入出力端子部１５と、チューナとしてのチューナ部１６と、アンテナ１６ａと、セレクター１７と、ＡＤＣ（Analog digital converter）１８と、ＤＳＰ（Digital Signal Processor）１９と、ＤＡＣ（Digital analog converter）２０と、アンプ部２１と、出力端子部２２と、音声出力部２３と、を備えて構成される。
【００１６】
システムマイコン１１は、ＣＰＵ（Central  Processing  Unit）と、ＲＯＭ（Read  Only  Memory）と、ＲＡＭ（Random  Access  Memory）と（以上、図示省略）、を備える。
【００１７】
ＣＰＵは、各部を中央制御する。ＲＯＭは、情報を読み出し可能なメモリであり、特に、後述するチューナ受信プログラム及び録音プログラムを記憶する。ＲＡＭは、格納する揮発性のメモリであり、各種プログラム及び各種データを展開するワークエリアを有する。
【００１８】
システムマイコン１１は、ＲＯＭに記憶されているシステムプログラム及び各種アプリケーションプログラムの中から指定されたプログラムやＲＡＭに記憶されたデータを読み出して当該ＲＡＭに展開し、ＲＡＭに展開されたプログラムやデータとＣＰＵとの協働で、各種処理を実行する。
【００１９】
システムマイコン１１は、後述するチューナ受信プログラムにより、入出力端子部１５を介してＤＡＰが接続されたとき、ＤＡＰが放送波の受信状態であるか否かを、入出力端子部１５から入力される再生情報に基づいて検出し、その検出の結果、ＤＡＰが放送波の受信状態である場合に、ＤＡＰから受信周波数を取得する。そして、システムマイコン１１は、取得した受信周波数にチューナ部１６の受信周波数を同調し、当該同調された受信周波数に基づく音声信号（音声データ）を出力させる。
【００２０】
表示部１２は、ＬＣＤ（Liquid Crystal Display）等により構成され、システムマイコン１１から入力される表示信号に基づいて、表示情報の表示動作を行う。
【００２１】
操作部１３は、再生キー、停止キー、サーチキー等の各種入力キーを備え、その押下信号をシステムマイコン１１に出力する。
【００２２】
記録部１４は、メモリカード１４Ａ、ＵＳＢ（Universal Serial Bus）メモリ１４Ｂ、ＨＤＤ（Hard Disk Drive）１４Ｃ、内蔵メモリ１４Ｄなどの記憶媒体を有する構成であり、システムマイコン１１の指示により、各種データを上述した記憶媒体に記録する。
なお、メモリカード１４Ａは、メモリスロット（図示省略）に介挿され、当該メモリスロットを介してデータの記録が行われる。また、ＵＳＢメモリ１４Ｂは、ＵＳＢスロット（図示省略）に接続され、当該ＵＳＢスロットを介してデータの記録が行われる。
【００２３】
入出力端子部１５は、外部装置（例えば、ＤＡＰ）と通信接続可能なコネクタなどを有し、外部からの音声データの入力やシステムマイコン１１からの指示信号の出力、ＤＡＰの接続有無の検出を行う。
【００２４】
チューナ部１６は、アンテナ１６ａを介して受信される放送波から、チューナ部１６の同調周波数帯において受信する放送波の周波数を調整し、放送局から送信される放送波の周波数に同調（放送波を選択）することで、放送信号の選択的な抽出を行う。そして、抽出した放送信号から音声信号を復調し、復調した音声信号（音声データ）をセレクター１７に出力する。
【００２５】
セレクター１７は、入出力端子部１５又はチューナ部１６から入力された音声データの何れかを選択し、ＡＤＣ１８に出力する。
【００２６】
ＡＤＣ１８は、セレクター１７から出力される音声データをデジタルデータに変換して、ＤＳＰ１９に出力する。
【００２７】
ＤＳＰ１９は、高速のマイクロプロセッサであり、システムマイコン１１からの指示により、音声データの記録部１４への書き込み（記録）時や記録部１４に記録された音声データの読み出し（再生）時において、ＭＰ３（MPEG-1 Audio Layer-3）方式やＷＭＡ（Windows Media（登録商標） Audio）への圧縮／伸張の処理、エラー訂正符号化の処理、ＥＦＭ（Eight to Fourteen Modulation）変調処理等の各種デジタル信号処理を行う。
【００２８】
ＤＡＣ２０は、ＤＳＰ１９において処理された所定のデジタルデータをアナログデータに変換し、アンプ部２１に出力する。アンプ部２１は、ＤＡＣ２０より出力されたアナログデータを増幅する。
【００２９】
出力端子部２２は、イヤホン、ヘッドホン又はスピーカ等と接続されるコネクタなどを有し、アンプ部２１から出力されたアナログデータをイヤホンやヘッドホンに出力する。
【００３０】
音声出力部２３は、イヤホン、ヘッドホン又はスピーカ等で構成され、アナログ変換されたアナログデータの音声出力を行う。
【００３１】
次に、オーディオ装置１の動作について説明する。先ず、図２を参照して、オーディオ装置１で実行されるチューナ受信処理の流れを説明する。チューナ受信処理は、入出力端子部１５を介して接続されたＤＡＰが放送波の受信状態である場合に、ＤＡＰから受信周波数を取得し、取得した受信周波数にチューナ部１６の受信周波数を同調し、当該同調された受信周波数に基づく音声データを出力させる処理である。
【００３２】
例えば、オーディオ装置１において、受信処理の実行指示が操作部１３を介して入力されたこと等をトリガとして、ＲＯＭから読み出されて適宜ＲＡＭに展開された受信プログラムと、ＣＰＵとの協働により受信処理が実行される。
以下、チューナ部を有したＤＡＰとオーディオ装置１とが通信接続される場合の動作について説明する。
【００３３】
先ず、入出力端子部１５を介してＤＡＰからコマンド（接続されたことを示すコマンド）を受け付けたか否かに基づいて、ＤＡＰが接続されたか否かが判別される（ステップＳ１１）。ステップＳ１１において、ＤＡＰが接続されていないと判別された場合（ステップＳ１１；ＮＯ）、ステップＳ１１に移行される。ステップＳ１１において、ＤＡＰが接続されていると判別された場合（ステップＳ１１；ＹＥＳ）、ＤＡＰに対して再生状態が要求される（ステップＳ１２）。再生状態とは、ＤＡＰの動作状態を示す。例えば、ＤＡＰが記憶している楽曲に基づく音声データを再生（出力）している状態であるのか、ＤＡＰの受信周波数が放送局から送信される放送波の周波数に同調し、当該同調された受信周波数に基づく音声データを出力している状態であるのかについての情報（再生情報）が要求される。
【００３４】
ステップＳ１２の実行後、入出力端子部１５を介してＤＡＰから再生状態（再生情報）が取得（入力）される（ステップＳ１３）。そして、再生状態の取得状況に基づいて、再生状態の取得が完了したか否かが判別される（ステップＳ１４）。ステップＳ１４において、再生状態の取得が完了していないと判別された場合（ステップＳ１４；ＮＯ）、ステップＳ１３に移行される。
【００３５】
ステップＳ１４において、再生状態の取得が完了したと判別された場合、取得した再生状態に基づいて、再生状態はチューナか否かが判別される（ステップＳ１５）。すなわち、再生状態は、ＤＡＰのチューナの受信周波数が放送局から送信される放送波の周波数に同調し、当該同調された受信周波数に基づく音声データをＤＡＰが出力している状態であるか否かが判別される。
【００３６】
ステップＳ１５において、再生状態はチューナであると判別された場合（ステップＳ１５：ＹＥＳ）、ＤＡＰに対して受信バンド及び周波数（受信周波数）が要求される（ステップＳ１６）。受信バンドとは、ＤＡＰのチューナ部により抽出された放送信号の周波数領域（ＡＭ、ＦＭ等の周波数領域）である。周波数とは、ＤＡＰのチューナ部により抽出された放送信号の周波数である。
【００３７】
ステップＳ１６の実行後、入出力端子部１５を介してＤＡＰから受信バンド及び周波数が取得される（ステップＳ１７）。そして、受信バンド及び周波数の取得状況に基づいて、受信バンド及び周波数の取得が完了したか否かが判別される（ステップＳ１８）。ステップＳ１８において、受信バンド及び周波数の取得が完了していないと判別された場合（ステップＳ１８；ＮＯ）、ステップＳ１７に移行される。
【００３８】
ステップＳ１８において、受信バンド及び周波数の取得が完了したと判別された場合（ステップＳ１８；ＹＥＳ）、セレクター１７がチューナ部１６に切り換えられ、チューナ部１６の周波数が取得した周波数に合わせられる（ステップＳ１９）。本ステップにおいて、チューナ部１６の受信周波数が取得した周波数に合わせられる（同調される）ことにより放送信号の抽出が行われ、チューナ部１６により抽出された放送信号から音声データが復調され、復調された音声データがセレクター１７に出力される。そして、セレクター１７によりチューナ部１６から出力された音声データが選択され、選択された音声データに対してＡＤ変換、デジタル信号処理、ＤＡ変換等の各種処理が施される。そして、各種処理の施された音声データ（同調された受信周波数に基づく音声データ）が音声出力部２３から出力される。そして、音声出力部２３により音声出力が開始された後、入出力端子部１５を介してＤＡＰに電源オフの指示信号が出力される（ステップＳ２０）。
【００３９】
ステップＳ１５において、再生状態はチューナでないと判別された場合（ステップＳ１５；ＮＯ）、セレクター１７がＤＡＰに切り換えられる（ステップＳ２１）。すなわち、セレクター１７により入出力端子部１５から出力された音声データが選択される。そして、選択された音声データに対してＡＤ変換、デジタル信号処理、ＤＡ変換等の各種処理が施される。そして、各種処理の施された音声データが音声出力部２３から出力される。
【００４０】
次に、図３及び図４を参照して、オーディオ装置１で実行される録音処理の流れを説明する。録音処理は、音声出力部２３から出力される音声データを録音する処理である。
【００４１】
例えば、オーディオ装置１において、録音処理の実行指示が操作部１３を介して入力されたこと等をトリガとして、ＲＯＭから読み出されて適宜ＲＡＭに展開された録音プログラムと、ＣＰＵとの協働により録音処理が実行される。
以下、チューナ部を有したＤＡＰとオーディオ装置１とが通信接続される場合の動作について説明する。
【００４２】
ステップＳ２１〜Ｓ３１は、チューナ受信処理のステップＳ１１〜Ｓ２１と同様である。ステップＳ３０及びステップＳ３１の実行後、録音設定ボタンの押下が受け付けられたか否か又は予め録音設定がされていたか否かに基づいて、録音設定ＯＮであるか否かが判別される（ステップＳ３２）。ステップＳ３２において、録音設定ＯＮでないと判別された場合（ステップＳ３２；ＮＯ）、ステップＳ３２に移行される。ステップＳ３２において、録音設定ＯＮであると判別された場合（ステップＳ３２；ＹＥＳ）、録音が開始される（ステップＳ３３）。このとき、音声データの出力の開始に合わせて、録音が開始される。
【００４３】
ステップＳ３３の実行後、ユーザによる操作部１３を介しての録音ストップキーの入力が受け付けられたか否かが判別される（ステップＳ３４）。ステップＳ３４において、録音ストップキーの入力が受け付けられていないと判別された場合（ステップＳ３４；ＮＯ）、ステップＳ３４に移行される。ステップＳ３４において、録音ストップキーの入力が受け付けられたと判別された場合ア（ステップＳ３４；ＹＥＳ）、録音終了処理が実行される（ステップＳ３５）。例えば、録音ファイルデータのファイル名に録音日時を示すファイル名を付与する処理等が実行される。ステップＳ３５の実行後、録音処理は終了される。
【００４４】
以上、本実施の形態によれば、ＤＡＰで受信していた受信周波数を取得し、取得した受信周波数にチューナ部１６の受信周波数を同調し、当該同調された受信周波数に基づく音声データを出力させる。このため、ＤＡＰで受信していた受信周波数にチューナ部１６の受信周波数を同調して、当該同調された受信周波数に基づく音声データをオーディオ装置１で自動的に出力するので、ユーザは、手間を要することなく、ＤＡＰで聴取していたラジオ放送の続きをオーディオ装置１で聴取することができる。
【００４５】
また、音声データの出力を開始後、ＤＡＰに対して電源オフの指示信号を出力することにより、ＤＡＰの電源をオフにすることができる。
【００４６】
なお、上記実施の形態における記述は、本発明に係るオーディオ装置、データ再生方法及びデータ再生プログラムの一例であり、これに限定されるものではない。
【００４７】
例えば、録音処理のステップＳ３０において、ＤＡＰに電源オフの指示信号を出力することとしたがこれに限定されるものではない。例えば、ＤＡＰの電源をオン状態としたまま、オーディオ装置１側で放送信号に基づく音声データの出力の開始に合わせて、音声データの録音を開始することとしてもよい。この場合、オーディオ装置１が録音を行うため、ユーザは、オーディオ装置１で音声データを聴取しながら、ＤＡＰに関する他の操作が可能となり、録音時にＤＡＰの使用ができなくなることを防ぐことができる。
【００４８】
また、オーディオ装置１の電源がオフ状態であったとき、入出力端子部１５を介してＤＡＰとの通信接続を検知した場合に、オーディオ装置１の電源をオンにすることとしてもよい。具体的には、オーディオ装置１の電源がオフ状態であったとき、入出力端子部１５にＤＡＰが接続されると、入出力端子部１５を介してＤＡＰから接続されたことを示すコマンドがシステムマイコン１１に送信される。そして、システムマイコン１１は当該コマンドを受信することにより、ＤＡＰが入出力端子部１５に接続されたことを検知し、オーディオ装置１の電源をオンにする。このため、オーディオ装置１の電源がオフの時にＤＡＰが接続された場合であっても、ユーザは、オーディオ装置１の電源をオンにする設定を行う手間を要しない。
【００４９】
その他、上記実施の形態におけるオーディオ装置１の細部構成及び詳細動作に関しても、本発明の趣旨を逸脱しない範囲で適宜変更可能である。
【図面の簡単な説明】
【００５０】
【図１】本発明に係るオーディオ装置の内部構成図である。
【図２】チューナ受信処理の流れを示すフローチャートである。
【図３】録音処理の流れを示すフローチャートである。
【図４】録音処理の流れを示すフローチャートである。
【符号の説明】
【００５１】
１     オーディオ装置
１１   システムマイコン
１２   表示部
１３   操作部
１４   記録部
１４Ａ メモリカード
１４Ｂ ＵＳＢメモリ
１４Ｃ  ＨＤＤ
１４Ｄ 内蔵メモリ
１５   入出力端子部
１６   チューナ部
１６ａ アンテナ
１７   セレクター
１８   ＡＤＣ
１９   ＤＳＰ
２０   ＤＡＣ
２１   アンプ部
２２   出力端子部
２３   音声出力部
【図１】
2010130338.tif 000003
【図２】
2010130338.tif 000004
【図３】
2010130338.tif 000005
【図４】
2010130338.tif 000006